(57)【要約】【課題】  鏡筒部や内蔵されたＨＤＤへの耐衝撃性に優れ薄型化、小型化が可能な電子カメラを提供すること。【解決手段】  撮像素子に被写体像を結像する撮影光学系５と、前記撮像素子で撮像されたデータを記録するハードディスク装置７と、前記撮影光学系５と前記ハードディスク装置７を固定し一体的に支持する基板１を有し、前記基板１はカメラの筐体１５、またはカメラの筐体に結合している構造体２５に緩衝部材１３を介して保持されている電子カメラ。【選択図】  図１
2006180094.tif 000002
【特許請求の範囲】
【請求項１】
撮像素子に被写体像を結像する撮影光学系と、
前記撮像素子で撮像されたデータを記録するハードディスク装置と、
前記撮影光学系と前記ハードディスク装置を固定し一体的に支持する基板を有し、
前記基板はカメラの筐体、またはカメラの筐体に結合している構造体に緩衝部材を介して保持されていることを特徴とする電子カメラ。
【請求項２】
前記緩衝部材は、弾性体からなることを特徴とする請求項１に記載の電子カメラ。
【請求項３】
前記撮影光学系と前記ハードディスク装置の少なくとも一方が、前記基板に弾性体を介して支持されることを特徴とする請求項１に記載の電子カメラ。
【請求項４】
前記弾性体は、ゴムブッシュからなることを特徴とする請求項２または３に記載の電子カメラ。
【請求項５】
前記基板には、ファインダが更に固定されてなることを特徴とする請求項１から４に記載の電子カメラ。
【請求項６】
前記基板には、補助光発光装置が更に固定されてなることを特徴とする請求項１から５に記載の電子カメラ。
【請求項７】
前記カメラの筐体、または前記構造体にマイクが固定され、前記マイクで採取された音声は前記ハードディスク装置に記録されることを特徴とする請求項１から６に記載の電子カメラ。
【発明の詳細な説明】
【技術分野】
【０００１】
本発明は、デジタルスチルカメラ等の電子カメラに関し、特にハードディスク装置を内蔵する電子カメラに関する。
【背景技術】
【０００２】
近年、デジタルスチルカメラ等（以後、電子カメラと記す）の撮像素子の高密度化に伴い、撮像される画像のデータ量が増大し、従来の半導体記憶素子を含め電子カメラに搭載される記録媒体の大容量化が求められている。この大容量化の要求に対して小型のハードディスクドライブ(以後、ＨＤＤと記す)を搭載した電子カメラが考慮されつつある。ＨＤＤは、振動や衝撃に対して弱いために、従来、ＨＤＤを搭載した電子機器（例えば、パーソナルコンピュータ（ＰＣ）、パーソナルデータアシスタント（ＰＤＡ）、パーソナルＡＶ機器など）では、ＨＤＤへの耐衝撃性を高めるためにＨＤＤを弾性体やばねなどの緩衝部材で取り囲んで保護し機器内部に保持する構成が採用されている（例えば、特許文献１参照。）。また、電子カメラにおいても落下などによる衝撃から電子カメラ本体や鏡筒部を保護する必要があり、これらの方策が提案されている（例えば、特許文献２参照。）。
【特許文献１】特開２００４−１３４０３６号公報
【特許文献２】実開平７−２６８３７号公報
【発明の開示】
【発明が解決しようとする課題】
【０００３】
しかしながら、従来提案されているＨＤＤの対衝撃対策や電子カメラの鏡筒部保護手段では電子カメラを薄型化、小型化することが難しいという問題がある。
【０００４】
本発明は、上記問題に鑑みて行われたものであり、鏡筒部や内蔵されたＨＤＤへの耐衝撃性に優れ薄型化、小型化が可能な電子カメラを提供することを目的としている。
【課題を解決するための手段】
【０００５】
上記目的を達成するために、本発明は、撮像素子に被写体像を結像する撮影光学系と、前記撮像素子で撮像されたデータを記録するハードディスク装置と、前記撮影光学系と前記ハードディスク装置を固定し一体的に支持する基板を有し、前記基板はカメラの筐体、またはカメラの筐体に結合している構造体に緩衝部材を介して保持されていることを特徴とする電子カメラを提供する。
【０００６】
また、本発明にかかる電子カメラでは、前記緩衝部材は、弾性体からなることが好ましい。
【０００７】
また、本発明にかかる電子カメラは、前記撮影光学系と前記ハードディスク装置の少なくとも一方が、前記基板に弾性体を介して支持される構成が好ましい。
【０００８】
また、本発明にかかる電子カメラでは、前記弾性体は、ゴムブッシュからなることが好ましい。
【０００９】
また、本発明にかかる電子カメラは、前記基板にファインダが更に固定された構成が好ましい。
【００１０】
また、本発明にかかる電子カメラは、前記基板に補助光発光装置が更に固定された構成が好ましい。
【００１１】
また、本発明にかかる電子カメラでは、前記カメラの筐体、または前記構造体にマイクが固定され、前記マイクで採取された音声は前記ハードディスク装置に記録されることが好ましい。
【発明の効果】
【００１２】
本発明によれば、鏡筒部や内蔵されたＨＤＤへの耐衝撃性に優れ薄型化、小型化が可能な電子カメラを提供することができる。
【発明を実施するための最良の形態】
【００１３】
以下、本発明の一実施の形態に関し図１、及び図２を参照しつつ説明する。
【００１４】
図１は、本発明の実施の形態にかかる電子カメラの概略構成斜視図であり、図２は、実施の形態にかかる電子カメラにおける、基板を筐体に固定するゴムブッシュ部の拡大断面図である。
【００１５】
図１、図２において、基板１にはカメラの撮影レンズ３を支持する鏡筒部５、撮影レンズ３で結像した不図示の被写体像を撮像する不図示の撮像素子、撮像素子で撮像した被写体画像データを記録するハードディスクドライブ（以後、ＨＤＤと記す）７、被写体に対してフレーミングを行うファインダ９、被写体の輝度が不足している際に被写体に補助光を照射する補助光発光装置１１、及び不図示の電子部品がそれぞれ固定されている。
【００１６】
鏡筒部５は基板１に複数のねじ５ａで固定され、ＨＤＤ７は複数のねじ７ａで固定されている。なお、鏡筒部５とＨＤＤ７の少なくとも一方は、基板１からの振動や衝撃を緩和するために弾性部材（例えば、ゴム部材など）を介してねじ止めしても良い。この様にすることで、鏡筒部５とＨＤＤ７のそれぞれが発する振動などがそれぞれに干渉することを防止することができる。
【００１７】
ＨＤＤ７は、不図示のフレキシブル基板（ＦＰＣ）によって基板１に配設された不図示のコネクタに接続されている。また、基板１にはその他の不図示の電子部品が実装され電子カメラの制御部の一部を形成している。
【００１８】
基板１は、４箇所に配設された振動や衝撃を吸収緩和する弾性部材（例えば、ゴムブッシュ）１３とワッシャ１７を介して電子カメラの前カバー１５に複数のねじ１９で固定される。図２は、固定状態の拡大概略断面図である。ゴムブッシュ１３には基板１に形成された穴１ａに嵌合して基板１を保持する溝１３ａが一周に亘って形成されている。基板１をゴムブッシュ１３で保持し、ワッシャ１７を介してねじ１９で前カバー１５にねじ止めすることによって、基板１が前カバー１５に保持される。この様にゴムブッシュ１３を介して基板１が保持されているため、前カバー１５を通じて鏡筒部５やＨＤＤ７に外部から伝達される振動や衝撃を吸収緩和することが可能になる。
【００１９】
また、基板１が前カバー１５に保持する際、鏡筒部５は前カバー１５のレンズ開口部１５ａに前カバー１５に非接触状態で挿入することができるため、落下などにおける衝撃が前カバー１５から鏡筒部５に直接伝達されることを防止することができる。
【００２０】
前カバー１５の内側部には、マイク２１が配設されている。マイク２１は、前カバー１５にゴムなどの弾性部材を介して固定され、外部からの振動などによるノイズを防止するように構成されている。
【００２１】
また、前カバー１５には、ファインダ窓１５ｂ、補助光発光窓１５ｃ、レリーズ釦１５ｄ、及びマイク穴１５ｅなどが配設されている。
【００２２】
基板１を前カバー１５に固定した後、後カバー２３が不図示の固定手段で前カバー１５に固定される。後カバー２３には、電子カメラの制御回路用の回路基板２５が不図示の固定手段で固定されている。また後カバー２３の後ろ側面には不図示の表示装置（例えば、ＬＣＤ）、不図示の条件設定用の釦類が配置され、前カバー１５、基板１、回路基板２５、及び後カバー２３の電気的な接続はＦＰＣなどによって行われている。この様にして電子カメラが構成されている。
【００２３】
本実施の形態にかかる電子カメラは、鏡筒部５とＨＤＤ７を搭載した基板１を前カバー１５に衝撃緩衝部材であるゴムブッシュ１３を介して固定、保持することによって、前カバー１５及び後カバー２３を介して伝達される外部からの振動や衝撃を鏡筒部５やＨＤＤ７に伝え難くすることが可能になる。
【００２４】
また、電子カメラの主要部材である鏡筒部５、ＨＤＤ７、ファインダ９及び補助光発光装置１１を基板１に集約して一体的に構成することにより、薄型化、及び小型化を実現することが可能になると供に、それぞれの軸が撮影光軸に合わせやすくなる。
【００２５】
また、ＨＤＤ７を基板１に固定する構成としたため、従来のＨＤＤ７を緩衝部材で取り囲んで保護した場合に比べＨＤＤ７からの発熱が基板１を介して効率よく放熱される。
【００２６】
なお、本実施の形態では基板１を前カバー１５にゴムブッシュ１３を介して固定する構成としたが、基板１を回路基板２５にゴムブッシュ１３を介して固定し、更に回路基板２５をゴムブッシュなどを介して前カバー１５に固定するように構成しても良い。この場合、基板１が回路基板２５を介して前カバー１５に固定されるので、耐震性、耐衝撃性を更に良くすることができる。
【００２７】
なお、上述の実施の形態は例に過ぎず、上述の構成や形状に限定されるものではなく、本発明の範囲内において適宜修正、変更が可能である。
【図面の簡単な説明】
【００２８】
【図１】本発明の実施の形態にかかる電子カメラの概略構成斜視図である。
【図２】実施の形態にかかる電子カメラにおける、基板を筐体に固定するゴムブッシュ部の拡大断面図である。
【符号の説明】
【００２９】
１    基板
３    撮影レンズ
５    鏡筒部
７    ハードディスクドライブ（ＨＤＤ）
９    ファインダ
１１  補助光発光装置
１３  ゴムブッシュ
１５  前カバー
１７  ワッシャ
１９  ねじ
２１  マイク
２３  後カバー
２５  回路基板
【図１】
2006180094.tif 000003
【図２】
2006180094.tif 000004